(57)【特許請求の範囲】
【請求項１】
内部空間を有する筐体と
一部を前記筐体の外部に露出させて前記内部空間に配置され、前記露出する部分に含まれ外部に向けて所定量突出する押下面及び外部機器に設けられた取付用フックが係合する開口部を有し、前記外部機器に接続するときに、前記開口部に前記取付用フックが挿入された状態で前記取付用フックを作動させて前記開口部に係合させる作動ボタンを、前記押下面で押下する内部部材と
を備えたことを特徴とする情報処理装置。
【請求項２】
前記開口部は、挿入された前記取付用フックが作動した状態で、前記取付用フックと干渉して前記接続の離脱を防止するフック掛面を有し、
前記所定量は、前記取付用フックの作動時における基準面から前記作動ボタンの頂点までの距離と、前記押下面から前記フック掛面までの距離とを加算した値が、前記基準面から前記取付用フックの前記フック掛面に対向する面までの距離以下となる大きさを有する
ことを特徴とする請求項１に記載の情報処理装置。
【請求項３】
前記内部部材は、前記開口部における前記取付用フックとの係合部分が、樹脂内部に金属をインサート成形することで形成されることを特徴とする請求項１又は２に記載の情報処理装置。
【請求項４】
情報処理装置及び前記情報処理装置に接続する機能拡張ユニットを有する情報処理システムであって、
前記機能拡張ユニットは、
接続された前記情報処理装置を固定する取付用フックと、
押下されると前記取付用フックを作動させる作動ボタンとを備え、
前記情報処理装置は、
内部空間を有する筐体と
一部を前記筐体の外部に露出させて前記内部空間に配置され、前記露出する部分に含まれ外部に向けて所定量突出する押下面及び前記取付用フックが係合する開口部を有し、前記拡張ユニットが接続するときに前記開口部に前記取付用フックが挿入された状態で、前記押下面により前記作動ボタンを押下する内部部材とを備えた
ことを特徴とする情報処理システム。
【発明の詳細な説明】
【技術分野】
【０００１】
本発明は、情報処理装置及び情報処理システムに関する。
【背景技術】
【０００２】
近年、タブレット型端末装置は、その低価格化、小型化及び高速化により、急速に普及してきている。タブレット型端末装置は、容易に持ち運ぶことができ、時間や場所を選ばずインターネットなどにアクセスすることができ、情報の取得や他者との通信などの様々な形で利用される。
【０００３】
そして、タブレット型端末装置は、その持ち運びやすい大きさや重さから、乱雑に扱われることも多い。例えば、タブレット型端末装置は、片手で持たれて振り回されたり、カバンに入れたままカバンごと放り投げたりするなどの扱いを受けることが考えられる。また、タブレット型端末装置は、教育現場で授業中にノートや教科書の代わりとして使用されることも考えられるが、その場合、面積が小さい机上からの落下や、通学時に持ち歩くことによって振動や衝撃を受けることが考えられる。そのため、タブレット型端末装置及び付属品には堅牢性が求められる。
【０００４】
例えば、タブレット型端末装置の付属品として、キーボード入力を可能とするためのスリムキーボードやキーボードに加えた他の機能を拡張するためのキーボードドッキングステーションが存在する。以下、キーボードを含む機能拡張ユニットを、キーボードドックという。キーボードドックはタブレット型端末装置と接続した状態でノート型ＰＣ（Personal  Computer）のように折りたたむことができ、利用者は、キーボードドックを接続した状態でタブレット型端末装置を持ち運ぶことができる。
【０００５】
タブレット型端末装置とキーボードドックのような機能拡張ユニットとの接続を固定する方法として、フック形状の留具を接続相手に引っ掛けることで固定する方法と、磁石を用いて磁力により固定する方法がある。前者では、例えば、機能拡張ユニットが、スライド式のフック形状の留具を有する。そして、機能拡張ユニットの留具がタブレット型端末装置に設けられた引っ掛け用の穴である留具受けに嵌るように、タブレット型端末装置が設置される。この時、留具がスライドすることで留具受けに引っ掛かり、タブレット型端末装置が機能拡張ユニットに固定される。後者では、磁石がタブレット型端末装置及び機能拡張ユニットの双方に設けられる。そして、それぞれの磁石が引き合うことで、タブレット型端末装置が機能拡張ユニットに固定される。
【０００６】
ここで、フック形状の留具を用いた固定では、タブレット型端末装置を機能拡張ユニットから抜き取る方向に引いても外れないように強固に固定されている。ただし、このように強固に固定されているために、落下時などの衝撃による応力が全て留具及び留具受けに係るおそれがある。そのため、留具及び留具受けは、その応力に耐えられる強度を有することが好ましい。
【０００７】
従来、留具と留具受けとの破損を回避するために、留具受け部分の樹脂を２重構造にして強度を上げる技術が提案されている。また、金属製本体とプラスチック製アンテナカバーとをインサート成形方法により一体成型し、且つ、金属製本体とプラスチック製アンテナカバーとの結合箇所に係合手段を形成する従来技術がある。
【先行技術文献】
【特許文献】
【０００８】
【特許文献１】特開２００９−２６６１９５号公報
【発明の概要】
【発明が解決しようとする課題】
【０００９】
しかしながら、留具受け部分の樹脂を２重構造にした場合、機能拡張ユニットの留具であるスライド式フックがスライドするタイミングが問題となる。機能拡張ユニットにはタブレット型端末装置の挿入位置にロック解除ボタンが配置され、タブレット型端末装置がキーボードドックに嵌め込まれると、ロック解除ボタンがタブレット型端末装置により押下される。ロック解除ボタンが押下されると、留具のスライドを防止するスライドロック機構が解除され、留具がスライドする。この時、フック形状の留具の顎下が留具受けの内部に入り切っていれば、問題なく固定される。これに対して、２重構造を用いることで組み立てにおける嵌合状態のバラつきや組み立て後の変形によりボタンを押す外側のカバーが留具受けから遠ざかっていることが考えられる。この場合、フック形状の留具の顎下が留具受けの内部に入り切る前にフックがスライドしてしまい、留具受けの開口部などに接触して完全に嵌合しきらずに、固定されなくなるおそれがある。
【００１０】
また、金属製本体とプラスチック製アンテナカバーとの結合箇所に係合手段を形成しつつインサート成形を行う従来技術を用いても、留具のスライド位置と留具受けの開口部の位置との関係には影響がないため、固定できない状態が発生するおそれがある。
【００１１】
開示の技術は、上記に鑑みてなされたものであって、機能拡張ユニットとの強度を有する接続を確実に固定する情報処理装置及び情報処理システムを提供することを目的とする。
【課題を解決するための手段】
【００１２】
本願の開示する情報処理装置及び情報処理システムは、一つの態様において、内部空間を有する筐体を有する。そして、内部部材は、一部を前記筐体の外部に露出させて前記内部空間に配置され、前記露出する部分に含まれ外部に向けて所定量突出する押下面及び外部機器に設けられた取付用フックが係合する開口部を有し、前記外部機器に接続するときに、前記開口部に前記取付用フックが挿入された状態で前記取付用フックを作動させて前記開口部に係合させる作動ボタンを、前記押下面で押下する。
【発明の効果】
【００１３】
本願の開示する情報処理装置及び情報処理システムの一つの態様によれば、機能拡張ユニットとの強度を有する接続を確実に固定することができるという効果を奏する。
【図面の簡単な説明】
【００１４】
【図１】図１は、タブレット型端末装置の斜視図である。
【図２】図２は、タブレット型端末装置の分解斜視図である。
【図３】図３は、取付用開口部付近の拡大図である。
【図４】図４は、図１におけるＡ−Ａ断面図である。
【図５】図５は、図４における開口部近傍を拡大した断面図である。
【図６】図６は、キーボードドックの斜視図である。
【図７】図７は、取付用フック付近の拡大図である。
【図８】図８は、タブレット型端末装置とキーボードドックとの接続状態の斜視図である。
【図９】図９は、接続したタブレット型端末装置及びキーボードドックを折り畳んだ状態の斜視図である。
【図１０】図１０は、実施例１に係るタブレット型端末装置及びキーボードドックの接続前の状態を説明するための図である。
【図１１】図１１は、実施例１に係るタブレット型端末装置及びキーボードドックの接続途中の状態を説明するための図である。
【図１２】図１２は、実施例１に係るタブレット型端末装置及びキーボードドックの接続完了状態を説明するための図である。
【図１３】図１３は、実施例１に係るタブレット型端末装置及びキーボードドックの接続状態を表す斜視図である。
【図１４】図１４は、従来のタブレット型端末装置における接続時状態の遷移を表す図である。
【図１５】図１５は、実施例１に係るタブレット型端末装置の隙間がある場合の接続時状態の遷移を表す図である。
【図１６】図１６は、実施例２に係るタブレット型端末装置の構造を説明するための図である。
【図１７】図１７は、実施例２に係るタブレット型端末装置の接続時状態の遷移を表す図である。
【発明を実施するための形態】
【００１５】
以下に、本願の開示する情報処理装置及び情報処理システムの実施例を図面に基づいて詳細に説明する。なお、以下の実施例により本願の開示する情報処理装置及び情報処理システムが限定されるものではない。特に、以下の説明では、タブレット型端末装置を例に説明するが、情報処理装置としては、機能拡張ユニットと接続し固定される装置であれば他の装置でもよい。
【実施例１】
【００１６】
実施例１について説明する。図１は、タブレット型端末装置の斜視図である。また、図２は、タブレット型端末装置の分解斜視図である。
【００１７】
タブレット型端末装置１００は、タッチパネル１１、フロントカバー１２及びリアカバー１３を有する。タッチパネル１１は、フロントカバー１２の上に配置される。またタッチパネル１１を搭載したフロントカバー１２とリアカバー１３は組み合わされて嵌合し、内部に空間を有する１つの板状の筐体を形成する。
【００１８】
以下では、リアカバー１３からタッチパネル１１へ向かう方向をＺ方向、タッチパネル１１からリアカバー１３へ向かう方向を逆Ｚ方向という。また、タブレット型端末装置１００の短手方向で図の矢印の向かう方向をＹ方向とし、その逆方向を逆Ｙ方向という。また、タブレット型端末装置１００の長手方向で図の矢印の向かう方向をＸ方向とし、その逆方向を逆Ｘ方向という。
【００１９】
図２に示すように、タブレット型端末装置１００は、Ｚ方向に向けて、リアカバー１３、中子カバー１４、フロントカバー１２及びタッチパネル１１の順に重ねられ組み上げられる。
【００２０】
タッチパネル１１は、例えば液晶ディスプレイを有する。そして、タッチパネル１１は、ディスプレイへの画像の表示を行う。また、タッチパネル１１は、ディスプレイが押圧されることにより押圧された画面上の位置の入力を受ける。
【００２１】
フロントカバー１２は、タッチパネル１１のはめ込み用の枠を有する。また、フロントカバー１２は、タブレット型端末装置１００のタッチパネル１１の周りのカバー及び側面のカバーを有する。そして、タッチパネル１１が搭載されたフロントカバー１２は、中子カバー１４と組み合わされることで、中子カバー１４に組み付けられた内部部品を覆う。
【００２２】
中子カバー１４は、内部部品を組み付ける部材である。中子カバー１４は、内部部品が取り付けられた状態で、フロントカバー１２及びリアカバー１３で覆われる。ここで、内部部品は、ＣＰＵ（Central  Processing  Unit）を搭載するメインボードを含むタブレット型端末装置１００の各種機能を実現する部品群である。内部部品には、他にもハードディスク、通信装置、スピーカ及び接続ケーブルなどが含まれる。例えば、中子カバー１４には、ＣＰＵを搭載するメインボードが取り付けられる。
【００２３】
中子カバー１４は、フロントカバー１２及びリアカバー１３により外部が覆われる。すなわち、中子カバー１４は、フロントカバー１２とリアカバー１３とが組み合わされたことで形成される内部の空間に配置される。この中子カバー１４が、「内部部材」の一例にあたる。
【００２４】
リアカバー１３は、中子カバー１４のフロントカバー１２と反対の側の面を覆う。そして、リアカバー１３は、中子カバー１４を挟みフロントカバー１２と嵌合させられ、ネジなどの留具によってリアカバー１３と結合される。リアカバー１３と中子カバー１４との間に、バッテリなどが配置されてもよい。タブレット型端末装置１００は、フロントカバー１２及びリアカバー１３が組み合わされ嵌合することにより形成される板状の筐体を有する。
【００２５】
図１に戻って説明を続ける。タブレット型端末装置１００は、フロントカバー１２及びリアカバー１３によって形成される筐体の逆Ｙ方向の端部の側面に、取付用開口部１０１及び１０２、コネクタ１０３、並びに、位置決めピン挿入孔１０４及び１０５を有する。図３は、取付用開口部付近の拡大図である。図１及び図３に示すように、取付用開口部１０１及び１０２は、コネクタ１０３の両脇に配置される。
【００２６】
取付用開口部１０１及び１０２は、後述するキーボードドック２００の取付用フック２０１及び２０２と係合し、接続を固定するための穴である。図４は、図１におけるＡ−Ａ断面図である。図５は、図４における開口部近傍を拡大した断面図である。取付用開口部１０１と取付用開口部１０２とほぼ同じ構造を有するので、ここでは、取付用開口部１０１を例に説明する。
【００２７】
取付用開口部１０１は、フロントカバー１２及び中子カバー１４によって形成される。取付用開口部１０１を形成するＸ方向側の壁はフロントカバー１２と中子カバー１４とが二層になっている。すなわち、取付用開口部１０１を形成するＸ方向側の壁は、外部がフロントカバー１２で形成され、内部が中子カバー１４で形成される。また、取付用開口部１０１を形成する逆Ｘ方向側の壁は中子カバー１４により形成される。
【００２８】
取付用開口部１０１のＸ方向側にある中子カバー１４の壁は、逆Ｙ方向、すなわち外側に向かうボタン押下面１４１を有する。また、取付用開口部１０１の逆Ｘ方向側の中子カバー１４の壁は、Ｙ方向、すなわち内側に向かうフック掛面１４２を有する。すなわち、中子カバー１４は、フック掛面１４２を含む一部が、フロントカバー１２及びリアカバー１３により形成される筐体から外部に露出している。
【００２９】
取付用開口部１０１及び１０２に取付用フック２０１及び２０２が挿入され、スライドすることで係合し、タブレット型端末装置１００及びキーボードドック２００の接続が固定される。ここで、取付用開口部１０１と取付用フック２０１とが係合した状態とは、フック掛面１４２に取付用フック２０１の顎下が接触している状態を指す。また、取付用フック２０１の顎下は、フック形状を有する取付用フック２０１におけるキーボードドック２００へ向く面、すなわち接続時にタブレット型端末装置１００に引っ掛かる面である。
【００３０】
ボタン押下面１４１は、タブレット型端末装置１００をキーボードドック２００に接続する際に、後述する固定用ボタン２０３を押下する。ボタン押下面１４１は、タブレット型端末装置１００をキーボードドック２００に接続する際に、固定用ボタン２０３に対向する位置に配置される。本実施例では、取付用開口部１０１に対してＸ方向へ移動した位置に固定用ボタン２０３が配置されるため、ボタン押下面１４１は、取付用開口部１０１に対してＸ方向側に設けられる。この場合、ボタン押下面１４１は、取付用開口部１０２の隣には設けられなくてもよい。
【００３１】
ここで、ボタン押下面１４１及びフック掛面１４２は、以下の条件を満たす位置関係を有する。以下にボタン押下面１４１及びフック掛面１４２が満たす位置関係の条件を説明する。タブレット型端末装置１００をキーボードドック２００に接続する際に、タブレット型端末装置１００の挿入方向に直交する面、すなわちＸＺ平面であり、且つキーボードドック２００に対して位置が固定された基準面を１つ選択する。そして、タブレット型端末装置１００をキーボードドック２００に接続する際に、ボタン押下面１４１により固定用ボタン２０３が押下され取付用フック２０１及び２０２がスライドを開始する状態での基準面からボタン押下面１４１までの距離を、「作動開始距離」とする。そして、この場合、タブレット型端末装置１００は、フック掛面１４２からボタン押下面１４１までの距離と作動開始距離との合計が、基準面から取付用フック２０１の顎下までの距離以下となる条件を満たす。この条件を満たすことで、取付用開口部１０１に挿入された取付用フック２０１がスライドする際に、取付用開口部１０１を形成する壁と接触せずにスライドでき、取付用開口部１０１と取付用フック２０１との係合が確実に行われる。
【００３２】
図１に戻って説明を続ける。コネクタ１０３は、キーボードドック２００を用いて入力された情報の受信やキーボードドック２００との間におけるその他信号の送受信を行うための回線を有する。コネクタ１０３の両脇に配置される取付用開口部１０１及び１０２によりタブレット型端末装置１００をキーボードドック２００から抜けないように固定することで、コネクタ１０３の接続の外れの防止が確実になる。
【００３３】
位置決めピン挿入孔１０４及び１０５は、取付用開口部１０１及び１０２に対してコネクタ１０３とは逆側の位置に設けられる。位置決めピン挿入孔１０４及び１０５は、キーボードドック２００にタブレット型端末装置１００を接続する場合に、タブレット型端末装置１００の接続位置を適切な位置に合わせるための穴である。
【００３４】
図６は、キーボードドックの斜視図である。キーボードドック２００は、タブレット型端末装置１００に接続される機能拡張ユニットであり、キーボードを用いたタブレット型端末装置１００への情報の入力の機能を利用者に提供する。このキーボードドック２００は、「外部機器」の一例にあたる。
【００３５】
キーボードドック２００は、取付用フック２０１及び２０２、固定用ボタン２０３、コネクタ２０４、位置決めピン２０５及び２０６、固定解除用ボタン２０７、キーボード２０８、並びに、タッチパッド２０９を有する。図７は、取付用フック付近の拡大図である。
【００３６】
取付用フック２０１及び２０２は、フック形状を有するタブレット型端末装置１００との接続の固定用部品である。取付用フック２０１及び２０２は、コネクタ２０４の両隣に配置される。
【００３７】
取付用フック２０１は、逆Ｘ方向にスライドする前の位置に置いて、取付用開口部１０１に挿入される。ただし、取付用フック２０１は、逆Ｘ方向側の接続時にタブレット型端末装置１００に対向する位置に、逆Ｙ方向に向けて滑らかに広がる斜面を有している。そのため、取付用フック２０１が逆Ｘ方向へスライドした位置、すなわち、接続前に固定用ボタン２０３が押されてしまっている状態であっても、取付用フック２０１の斜面が取付用開口部１０１の端部に接触し、取付用フック２０１はＸ方向に押されて移動する。これにより、この状態であっても、取付用フック２０１は、取付用開口部１０１に滑らかに挿入される。
【００３８】
そして、取付用開口部１０１に挿入された取付用フック２０１は、逆Ｘ方向にスライドして取付用開口部１０１と係合する。また、取付用フック２０２は、取付用開口部１０２に挿入される。そして、取付用開口部１０２に挿入された取付用フック２０２は、スライドして取付用開口部１０２と係合する。取付用フック２０１と取付用フック２０２とは同じ構造を有するので、ここでは取付用フック２０１を例に説明する。
【００３９】
取付用フック２０１は、取付用開口部１０１と係合した状態で、フック形状の顎下の部分、すなわち逆Ｙ方向へ向く面が取付用開口部１０１のフック掛面１４２と接触する。これにより、取付用フック２０１及び２０２は、Ｙ方向、すなわちキーボードドック２００から抜ける方向へのタブレット型端末装置１００の移動を防止する。これにより、タブレット型端末装置１００は、キーボードドック２００から抜けないように固定される。
【００４０】
また、取付用フック２０１及び２０２は、逆Ｘ方向の側面が取付用開口部１０１及び１０２の開口部分の側面と接触することで、タブレット型端末装置１００のＸ方向への移動を防止する。
【００４１】
さらに、取付用フック２０１は、タブレット型端末装置１００とキーボードドック２００とが接続された状態で後述する固定解除用ボタン２０７が押下されることで、逆Ｘ方向へスライドする。これにより、取付用フック２０１と取付用開口部１０１との係合が解除される。この場合、タブレット型端末装置１００は、キーボードドック２００から抜去可能となる。
【００４２】
固定用ボタン２０３は、取付用フック２０１及び２０２を動作させるためのボタンである。本実施例では、固定用ボタン２０３は、取付用フック２０１のＸ方向側の隣に配置される。
【００４３】
固定用ボタン２０３は、タブレット型端末装置１００が接続される以前は、取付用フック２０１及び２０２の逆Ｘ方向へのスライドを防止する。そして、タブレット型端末装置１００が挿入されると、固定用ボタン２０３は、タブレット型端末装置１００の逆Ｙ方向の端部の側面にあるボタン押下面１４１と接触し押下される。固定用ボタン２０３は、ボタン押下面１４１により押下されると取付用フック２０１及び２０２の逆Ｘ方向へのスライドの防止を解除する。これにより、取付用フック２０１及び２０２は、逆Ｘ方向へスライドし、取付用開口部１０１及び１０２と係合する。この固定用ボタン２０３が、「作動ボタン」の一例にあたる。
【００４４】
コネクタ２０４は、キーボード２０８及びタッチパッド２０９から入力された情報を転送する回線を有する。コネクタ２０４は、タブレット型端末装置１００がキーボードドック２００へ接続された場合、コネクタ１０３に接続され、双方の回線が繋がる。これにより、キーボード２０８及びタッチパッド２０９から入力された情報は、コネクタ２０４及び１０３を介してタブレット型端末装置１００のＣＰＵなどに送信される。
【００４５】
位置決めピン２０５及び２０６は、取付用フック２０１及び２０２に対してコネクタ２０４とは逆側の位置に配置される。位置決めピン２０５及び２０６は、挿入されたタブレット型端末装置１００へ向かう方向にキーボードドック２００の筐体から突出する突出部である。
【００４６】
位置決めピン２０５及び２０６は、それぞれ、位置決めピン挿入孔１０４及び１０５に挿入される。挿入された位置決めピン２０５及び２０６は、位置決めピン挿入孔１０４及び１０５と接触し、Ｘ方向及び逆Ｘ方向、並びに、Ｙ方向及び逆Ｙ方向へのタブレット型端末装置１００の移動を防止する。これにより、位置決めピン２０５及び２０６は、タブレット型端末装置１００のキーボードドック２００への接続時、タブレット型端末装置１００の位置を適切な位置に誘導する。
【００４７】
固定解除用ボタン２０７は、取付用フック２０１及び２０２と取付用開口部１０１及び１０２との係合を解除するためのボタンである。本実施例では、固定解除用ボタン２０７は、タブレット型端末装置１００がキーボードドック２００に接続された状態でのタッチパネル１１と同じ面に配置される。
【００４８】
固定解除用ボタン２０７は、タブレット型端末装置１００とキーボードドック２００が接続され固定された状態で、利用者に押下される。固定解除用ボタン２０７が利用者に押下されると、取付用フック２０１及び２０２がＸ方向へスライドし、タブレット型端末装置１００とキーボードドック２００との接続の固定が解除される。
【００４９】
キーボード２０８及びタッチパッド２０９は入力装置である。利用者は、キーボード２０８を使用して文字を入力したり、タッチパッド２０９を用いてポインタの位置を入力したりすることができる。
【００５０】
さらに、キーボードドック２００は、取付用フック２０１及び２０２、固定用ボタン２０３、コネクタ２０４、位置決めピン２０５及び２０６、並びに、固定解除用ボタン２０７が設けられる接続部２１０がＸ方向を軸に回動する。
【００５１】
図８は、タブレット型端末装置とキーボードドックとの接続状態の斜視図である。タブレット型端末装置１００は、キーボードドック２００に挿入され接続されると、図４で示す状態となる。この状態で、取付用フック２０１及び２０２は、取付用開口部１０１及び１０２と係合した状態である。また、コネクタ２０４とコネクタ１０３とは、接続した状態である。また、位置決めピン２０５及び２０６は、位置決めピン挿入孔１０４及び１０５に挿入された状態である。
【００５２】
さらに、図８に示す状態のタブレット型端末装置１００とキーボードドック２００とは折り畳んで、図９に示す状態にすることができる。図９は、接続したタブレット型端末装置及びキーボードドックを折り畳んだ状態の斜視図である。図９に示すように、折り畳むことで、タブレット型端末装置１００をキーボードドック２００に接続したまま持ち運ぶことが容易となる。具体的には、キーボード２０８の接続部２１０が回動することで、接続部２１０とともにタブレット型端末装置１００が回動し、折り畳まれる。
【００５３】
さらに、図１０〜１２を参照して、タブレット型端末装置１００とキーボードドック２００との接続部分の機構について詳細に説明する。図１０は、実施例１に係るタブレット型端末装置及びキーボードドックの接続前の状態を説明するための図である。図１１は、実施例１に係るタブレット型端末装置及びキーボードドックの接続途中の状態を説明するための図である。図１２は、実施例１に係るタブレット型端末装置及びキーボードドックの接続完了状態を説明するための図である。
【００５４】
図１０に示すように、接続前にはボタン押下面１４１は、固定用ボタン２０３と接触していない。すなわち、固定用ボタン２０３は、押下されていないため、キーボードドック２００の筐体から外部に向けての突出量が最大の状態である。
【００５５】
また、取付用フック２０１は、逆Ｘ方向へスライドする前の状態である。すなわち、取付用フック２０１は、タブレット型端末装置１００をキーボードドック２００へ差し込む際に、タブレット型端末装置１００に接触しない位置にある。また、取付用フック２０１は、移動防止部材２１２と接続している。
【００５６】
取付用フック２０１には、逆Ｘ方向へ引かれる力が働いている。しかし、移動防止部材２１２が固定用ボタン２０３と接触しており逆Ｘ方向への移動が阻害されているため、取付用フック２０１は、逆Ｘ方向へスライドせずに停止している。
【００５７】
ここで、接続部２１０に対して固定のＸＺ平面を１つ選択し基準面Ｐとする。ここでは、接続の際にタブレット型端末装置１００に対向する接続部２１０の表面を、基準面Ｐとする。そして、取付用フック２０１の顎下２１１から基準面Ｐまでの距離を距離Ｌ１とする。また、ボタン押下面１４１からフック掛面１４２までの距離を距離Ｌ２とする。
【００５８】
そして、図１０の状態からタブレット型端末装置１００を逆Ｙ方向に進ませると、取付用フック２０１が、取付用開口部１０１に挿入される。そして、固定用ボタン２０３がボタン押下面１４１に接触し、押下される。その後、ボタン押下面１４１が押下されることで、固定用ボタン２０３が逆Ｙ方向に沈み、固定用ボタン２０３と移動防止部材２１２との接触が解除される。これにより、取付用フック２０１は、逆Ｘ方向への移動を阻害する力がなくなるので、逆Ｘ方向への移動を開始する。この状態が図１１で示される状態である。
【００５９】
ここで、図１１の状態のボタン押下面１４１から基準面Ｐまでの距離をＬ３とする。このＬ３が上述した、作動開始距離にあたる。また、この場合、固定用ボタン２０３はボタン押下面１４１に接触しており、基準面Ｐは接続の際にタブレット型端末装置１００に対向する接続部２１０の表面としたので、Ｌ３は、固定用ボタン２０３の基準面からの突出量ともいえる。
【００６０】
ここで、本実施例に係るタブレット型端末装置１００は、上述したように、フック掛面１４２からボタン押下面１４１までの距離と作動開始距離との合計が、基準面から取付用フック２０１の顎下２１１までの距離以下となる条件を満たす。すなわち、タブレット型端末装置１００及びキーボードドック２００は、Ｌ１≧Ｌ２＋Ｌ３を満たす。Ｌ２＋Ｌ３は、基準面Ｐからフック掛面１４２までの距離にあたる。すなわち、図１１に示す取付用フック２０１が逆Ｘ方向の移動を開始する状態で、取付用フック２０１の顎下２１１の基準面Ｐからの距離は、基準面Ｐからフック掛面１４２までの距離よりも長くなる。このため、取付用フック２０１は、フロントカバー１２や中子カバー１４に接触せずに逆Ｘ方向にスライドすることができ、確実に取付用開口部１０１と係合することができる。
【００６１】
図１１で表される状態の後、取付用フック２０１は、取付用開口部１０１を形成するフック掛面１４２を有する壁と係合し、タブレット型端末装置１００及びキーボードドック２００は、図１２で表される状態に遷移する。これにより、タブレット型端末装置１００とキーボードドック２００との接続が完了する。
【００６２】
図１３は、実施例１に係るタブレット型端末装置及びキーボードドックの接続状態を表す斜視図である。図１２及び１３に示す状態であれば、タブレット型端末装置１００をＹ方向に引いた場合、取付用フック２０１の顎下２１１がフック掛面１４２と接触し、タブレット型端末装置１００のＹ方向への移動を阻害する。これにより、タブレット型端末装置１００は、キーボードドック２００から抜去することができず、タブレット型端末装置１００とキーボードドック２００との接続が固定されているといえる。
【００６３】
ここで、図１４及び１５を参照して、本実施例に係るタブレット型端末装置１００と従来のタブレット型端末装置との係合の確実性の違いについて説明する。図１４は、従来のタブレット型端末装置における接続時の状態の遷移を表す図である。また、図１５は、実施例１に係るタブレット型端末装置の隙間がある場合の接続時の状態の遷移を表す図である。
【００６４】
図１４は、領域３１１に示すように、フロントカバー３３と中子カバー３４との間に隙間が生じた状態での接続を表す。状態３０１は接続開始前の従来のタブレット型端末装置及びキーボードドックの状態を表す。そして、状態３０２〜３０３は、状態３０１から開始された接続の途中の状態を表し、状態３０４が接続完了状態を表す。
【００６５】
従来のタブレット型端末装置では、固定用ボタン３２は、フロントカバー３３の一部により押下される。すなわち、状態３０２に示すように、取付用フック３１が取付用開口部３５に挿入され、固定用ボタン３２がフロントカバー３３に接触する。
【００６６】
さらに、固定用ボタン３２がフロントカバー３３により押し込まれると、状態３０３で表される状態となり、取付用フック３１がスライドを開始する。
【００６７】
ここで、従来のタブレット型端末装置では、フロントカバー３３により固定用ボタン３２が押下され、取付用フック３１が中子カバー３４と係合する。この場合、取付用フック３１のスライド開始位置と、取付用フック３１と中子カバー３４との位置関係とはそれぞれ独立している。そのため、従来のタブレット型端末装置では、フロントカバー３３と中子カバー３４との間に隙間が生じた状態では、取付用フック３１がスライドした場合に状態３０４に示すように中子カバー３４と接触する場合がある。そして、状態３０４で示す状態では、取付用フック３１は、スライドが途中で止まってしまい中子カバー３４と係合していない。そのため、タブレット型端末装置をキーボードドックから引き抜くことができ、タブレット型端末装置とキーボードドックとの接続が解除されてしまう。
【００６８】
これに対して、実施例１に係るタブレット型端末装置１００であれば、図１５の状態４０１から４０４に示すように、接続時に状態が遷移する。図１５は、領域４１１に示すように、フロントカバー１２と中子カバー１４との間に隙間が生じた状態での接続を表す。状態４０１は接続開始前のタブレット型端末装置１００及びキーボードドック２００の状態を表す。そして、状態４０２〜４０３は、状態４０１から開始された接続の途中の状態を表し、状態４０４が接続完了状態を表す。
【００６９】
実施例１に係るタブレット型端末装置１００では、固定用ボタン２０３は、中子カバー１４の一部により押下される。すなわち、状態４０２に示すように、取付用フック２０１が取付用開口部１０１に挿入され、固定用ボタン２０３が中子カバー１４に接触する。
【００７０】
さらに、固定用ボタン２０３が中子カバー１４により押し込まれると、状態４０３で表される状態となり、取付用フック２０１がスライドを開始する。
【００７１】
ここで、実施例１に係るタブレット型端末装置１００は、取付用フック２０１のスライド開始位置と、取付用フック２０１と中子カバー１４との位置関係とが相互に関係を有する。具体的には、フック掛面１４２からボタン押下面１４１までの距離と作動開始距離との合計が、基準面から取付用フック２０１の顎下２１１までの距離以下となる。そのため、実施例１に係るタブレット型端末装置１００では、フロントカバー１２と中子カバー１４との間に隙間が生じた状態であっても、取付用フック２０１がスライドした場合に中子カバー３４と接触しない。そこで、状態４０４に示すように、取付用フック２０１は、取付用開口部１０１を形成する中子カバー１４と確実に係合する。これにより、タブレット型端末装置１００とキーボードドック２００との接続の固定を確実にすることができる。
【００７２】
以上に説明したように、本実施例に係る情報処理装置は、フック掛面からボタン押下面までの距離と作動開始距離との合計が、基準面から取付用フックの顎下までの距離以下となるように構成されている。これにより、取付用フックがスライドした場合に取付用開口部を形成する壁と確実に係合できる。また、取付用フックと係合する取付用開口部の壁は、フロントカバーと中子カバーとの二重構造となっている。これにより、情報処理装置と機能拡張ユニットとを接続の強度を向上させることができる。すなわち、本実施例に係る情報処理装置及び機能拡張ユニットによれば、接続の強度を向上させつつ確実に固定することができる。
【実施例２】
【００７３】
次に、実施例２について説明する。図１６は、実施例２に係るタブレット型端末装置の構造を説明するための図である。本実施例に係るタブレット型端末装置は、取付用開口部を形成する壁の取付用フックと係合する部分が樹脂内部に金属筐体をインサート成形した構造を有することが実施例１と異なる。
【００７４】
図１６に示すように、本実施例に係る中子カバー１４の一部は、樹脂内部に金属筐体１４５がインサート成形された構造を有する。
【００７５】
また、中子カバー１４は、それのみで取付用開口部１０１を形成する。特に、フック掛面１４２を有する取付用開口部１０１を形成する壁も、中子カバー１４のみで形成される。ただし、フック掛面１４２を有する取付用開口部１０１を形成する壁は、金属筐体１４５を樹脂内部にインサート成形した構造を有する。これにより、フック掛面１４２を有する取付用開口部１０１を形成する壁が強化され、落下時などの衝撃で発生する応力による破損を回避することができる。
【００７６】
金属筐体１４５は、落下時などの衝撃を耐えうる強度など、タブレット型端末装置１００に要求される強度を有する金属であれば材質は特に限定されない。例えば、金属筐体１５は、マグネシウム（Ｍｇ：Magnesium）合金で形成されてもよい。
【００７７】
この場合も、ボタン押下面１４１及びフック掛面１４２は、中子カバー１４により形成される。そして、本実施例に係るタブレット型端末装置１００も、フック掛面１４２からボタン押下面１４１までの距離と作動開始距離との合計が、基準面から取付用フック２０１の顎下２１１までの距離以下となるように構成される。そのため、取付用フック２０１は、中子カバー１４に接触せずにスライドし、取付用開口部１０１を形成する中子カバー１４と確実に係合することができる。
【００７８】
ここで、図１７を参照して、本実施例に係るタブレット型端末装置１００とキーボードドック２００との接続時の状態の遷移について説明する。図１７は、実施例２に係るタブレット型端末装置の接続時の状態の遷移を表す図である。
【００７９】
状態４１１は接続開始前のタブレット型端末装置１００及びキーボードドック２００の状態を表す。そして、状態４１２〜４１３は、状態４１１から開始された接続の途中の状態を表し、状態４１４が接続完了状態を表す。
【００８０】
実施例２に係るタブレット型端末装置１００では、固定用ボタン２０３は、中子カバー１４の一部により押下される。すなわち、状態４１２に示すように、取付用フック２０１が取付用開口部１０１に挿入され、固定用ボタン２０３が中子カバー１４に接触する。
【００８１】
さらに、固定用ボタン２０３が中子カバー１４により押し込まれると、状態４１３で表される状態となり、取付用フック２０１がスライドを開始する。
【００８２】
ここで、実施例２に係るタブレット型端末装置１００は、フック掛面１４２からボタン押下面１４１までの距離と作動開始距離との合計が、基準面から取付用フック２０１の顎下２１１までの距離以下となるように構成されている。そのため、実施例２に係るタブレット型端末装置１００では、取付用フック２０１がスライドした場合に中子カバー３４と接触しない。そこで、状態４０４に示すように、取付用フック２０１は、取付用開口部１０１を形成する中子カバー１４と確実に係合する。これにより、タブレット型端末装置１００とキーボードドック２００との接続の固定を確実にすることができる。
【００８３】
以上に説明したように、本実施例に係る情報処理装置は、取付用開口部を形成する壁の取付用フックと係合する部分が樹脂内部に金属筐体をインサート成形した構造を有する。これにより、中子カバーのみで、取付用フックが接触する部分の強度を向上させることができる。
【符号の説明】
【００８４】
１１  タッチパネル
１２  フロントカバー
１３  リアカバー
１４  中子カバー
１０１，１０２  取付用開口部
１０３  コネクタ
１０４，１０５  位置決めピン挿入孔
１４１  ボタン押下面
１４２  フック掛面
２０１，２０２  取付用フック
２０３  固定用ボタン
２０４  コネクタ
２０５，２０６  位置決めピン
２０７  固定解除用ボタン
２０８  キーボード
２０９  タッチパッド
２１０  接続部
２１１  顎下
２１２  移動防止部材
【図１】
0006457907.tif 000002
【図２】
0006457907.tif 000003
【図３】
0006457907.tif 000004
【図４】
0006457907.tif 000005
【図５】
0006457907.tif 000006
【図６】
0006457907.tif 000007
【図７】
0006457907.tif 000008
【図８】
0006457907.tif 000009
【図９】
0006457907.tif 000010
【図１０】
0006457907.tif 000011
【図１１】
0006457907.tif 000012
【図１２】
0006457907.tif 000013
【図１３】
0006457907.tif 000014
【図１４】
0006457907.tif 000015
【図１５】
0006457907.tif 000016
【図１６】
0006457907.tif 000017
【図１７】
0006457907.tif 000018